(57)【要約】【課題】ケーブルの配線を容易に行うとともに、ケーブルの配線の調整を容易に行うことができるケーブル及びケーブル固定部材を提供する。【解決手段】導線１０〜１３とこの導線１０〜１３を被膜する被覆体１４を有するケーブル１と、ケーブル１が取り付けられる固定部材側取付部２１が設けられるケーブル固定部材２とであって、被覆体１４には、固定部材側取付部２１に着脱自在に取り付つけられるケーブル側取付部１Ｂが設けられ、被覆体１４とケーブル側取付部１Ｂとは単一部材として構成されている。【選択図】図２
2011045205.tif 000002
【特許請求の範囲】
【請求項１】
導線とこの導線を被膜する被覆体を有するケーブルと、一方の面が造営物を構成する壁部に固定されるとともに、他方の面に前記ケーブルが取り付けられる第１取付部が設けられるケーブル固定部材とを備え、
前記被覆体には、前記第１取付部に着脱自在に取り付つけられる第２取付部が設けられ、
前記被覆体と前記第２取付部とは単一部材として構成される
ことを特徴とするケーブル及びケーブル固定部材。
【請求項２】
請求項１に記載のケーブル及びケーブル固定部材において、
前記第２取付部は、前記導線から離間する方向に突出する突起部として構成され、
前記第１取付部は、前記突起部を嵌合する凹部として構成される
ことを特徴とするケーブル及びケーブル固定部材。
【請求項３】
請求項１または請求項２に記載のケーブル及びケーブル固定部材において、
前記第２取付部は、前記ケーブルの延設方向に沿って設けられる
ことを特徴とするケーブル及びケーブル固定部材。
【請求項４】
請求項１〜請求項３のいずれか一項に記載のケーブル及びケーブル固定部材において、
前記ケーブル固定部材の幅は、前記ケーブルの幅以下として形成される
ことを特徴とするケーブル及びケーブル固定部材。
【請求項５】
請求項１〜請求項４のいずれか一項に記載のケーブル及びケーブル固定部材において、
前記ケーブル固定部材は、その断面が略三角形状に形成され、
前記ケーブル固定部材の一面には前記第１取付部が設けられるとともに、前記一面以外の面は前記壁部に固定される
ことを特徴とするケーブル及びケーブル固定部材。
【発明の詳細な説明】
【技術分野】
【０００１】
本発明は、ケーブル及び壁部に固定されるとともにケーブルが取り付けられるケーブル固定部材に関する。
【背景技術】
【０００２】
一般に、情報を通信する方式としては、ケーブルを用いる有線通信と、このケーブルを用いず電波等の無線を用いる無線通信とが知られている。
無線通信では、有線通信と比較してケーブルを配線するための施工が必要ないため、容易に導入可能である利点がある。一方で、無線通信は周囲の環境の影響によって通信が不安定になる場合がある。特に写真等の静止画よりも通信量の多い動画を無線通信によって配信する場合には、通信が途切れてしまうと動画が配信されなくなり、視聴者にストレスを与えてしまう場合がある。
【０００３】
これに対して、有線通信では、無線通信と比較して通信が安定するため、安定的な動画配信を行うことができるようになる。したがって、動画配信の不具合に起因する上記ストレスを視聴者に与えることが抑制されるようになる。
【０００４】
ところで、有線通信においては、新築の家屋等であれば壁部の裏面側にケーブルを配線することにより、ケーブルが部屋から隠れるため、部屋全体としてすっきりとする。しかしながら、既築の家屋等の場合には、壁部の裏面側にケーブルを配線するためには大掛かりな施工工事が必要となる。そのため、その施工工事を行わず、壁部の表側にケーブルを配線することが行われている。このような場合には、ケーブルを隠すためにモールをケーブルに被せる構成が提案されている（例えば、特許文献１参照）。
【０００５】
図１０を参照して、従来のモールを用いたケーブルの配線の外観について説明する。
図１０（ａ）に示すように、ケーブル１００は、部屋２００のドア２０１と壁部２０２とを区画する枠体部２０３に沿って配線されている。このケーブル１００は、コンセント３００と接続されている。ケーブル１００には、モール１１０が取り付けられている。具体的には、図１０（ｂ）に示すように、モール１１０は、壁部２０２に取り付けられる壁側部材１１１とこの壁側部材１１１と嵌合するとともにカバー側部材１１２とにより構成されている。これら壁側部材１１１とカバー側部材１１２とにより形成される内部空間にケーブル１００が収納されている。この構成により、モール１１０の幅ＨＲ１は、ケーブル１００の最大径ＤＲ１よりも大きく形成されるようになる。
【先行技術文献】
【特許文献】
【０００６】
【特許文献１】実開平５−９１１１８号公報
【発明の概要】
【発明が解決しようとする課題】
【０００７】
しかしながら、モール１１０を用いる構成では、以下のようにケーブル１００の配線作業が煩雑となる。即ち、まずモール１１０の壁側部材１１１を壁部２０２に固定する。次いで、壁側部材１１１内にケーブル１００を配線する。最後に、カバー側部材１１２を壁側部材１１１に固定する。
【０００８】
これに対して、上述のモール１１０に起因するケーブル１００の配線の煩雑さを抑制するために、モール１１０を用いずにケーブル１００のみを壁部２０２に配線する場合がある。その場合には、ケーブル１００に両面テープや接着剤を用いて壁部２０２に配線することが考えられる。
【０００９】
しかしながら、ケーブル１００に両面テープや接着剤を用いて壁部２０２に配線した場合には、ケーブル１００が屈曲した状態または湾曲した状態にて配線されたときに配線状態の美観の向上のためにケーブル１００の壁部２０２の取り付けをやり直すことが困難となる問題がある。
【００１０】
本発明は、上記実情に鑑みてなされたものであり、その目的とするところは、ケーブルの配線を容易に行うとともに、ケーブルの配線の調整を容易に行うことができるケーブル及びケーブル固定部材を提供することにある。
【課題を解決するための手段】
【００１１】
以下、上記目的を達成するための手段及びその作用効果について記載する。
（１）請求項１に記載の発明は、導線とこの導線を被膜する被覆体を有するケーブルと、一方の面が造営物を構成する壁部に固定されるとともに、他方の面に前記ケーブルが取り付けられる第１取付部が設けられるケーブル固定部材とを備え、前記被覆体には、前記第１取付部に着脱自在に取り付つけられる第２取付部が設けられ、前記被覆体と前記第２取付部とは単一部材として構成されることを要旨とする。
【００１２】
この発明によれば、第１取付部に第２取付部を取り付けることにより、ケーブル固定部材にケーブルを取り付けるため、図１０に示す従来のモール１１０を用いる構成と比較して、壁部３１にケーブル１を配線する作業が容易に行うことができるようになる。また、第２取付部は第１取付部に着脱自在に取り付けられるため、ケーブルを壁部に取り付ける場合において、取り付けの調整を容易に行うことができるようになる。したがって、モールを使用せずにケーブルを直接両面テープや接着剤によって固定する場合と比較して、ケーブルを壁部に固定する作業を容易に行うことができるようになる。
【００１３】
（２）請求項２に記載の発明は、請求項１に記載のケーブル及びケーブル固定部材において、前記第２取付部は、前記導線から離間する方向に突出する突起部として構成され、前記第１取付部は、前記突起部を嵌合する凹部として構成されることを要旨とする。
【００１４】
この発明によれば、ケーブルに突起部を設け、ケーブル固定部材に凹部を設けることにより、ケーブルに凹部を設け、ケーブル固定部材に突起部を設ける構成と比較して、ケーブルを容易に製造することができるようになる。
【００１５】
（３）請求項３に記載の発明は、請求項１または請求項２に記載のケーブル及びケーブル固定部材において、前記第２取付部は、前記ケーブルの延設方向に沿って設けられることを要旨とする。
【００１６】
この発明によれば、第２取付部がケーブルの延設方向に沿って設けられるため、この第２取付部に取り付けられる第１取付部も延設方向に沿って配置されるようになる。したがって、第１取付部に第２取付部を取り付けた状態において、ケーブルがねじれることが抑制されるようになる。
【００１７】
（４）請求項４に記載の発明は、請求項１〜請求項３のいずれか一項に記載のケーブル及びケーブル固定部材において、前記ケーブル固定部材の幅は、前記ケーブルの幅以下として形成されることを要旨とする。
【００１８】
この発明によれば、ケーブル固定部材の幅がケーブルの幅以下として形成されるため、ケーブル固定部材がケーブルによって隠れるようになる。したがって、ケーブル及びケーブル固定部材がより目立たなくなるようになり、ケーブルを配線した状態において図１０に示すモール１１０を用いた場合と比較して部屋の美観が向上するようになる。
【００１９】
（５）請求項５に記載の発明は、請求項１〜請求項４のいずれか一項に記載のケーブル及びケーブル固定部材において、前記ケーブル固定部材は、その断面が略三角形状に形成され、前記ケーブル固定部材の一面には前記第１取付部が設けられるとともに、前記一面以外の面は前記壁部に固定されることを要旨とする。
【００２０】
この発明によれば、壁部と壁部または他の部材とが直交する角部に配線する場合には、第１取付部が設けられる一面以外の二面にて角部に固定することができるため、好適に適用することができるようになる。
【発明の効果】
【００２１】
本発明によれば、ケーブルを配線したときの美観の低下を抑制するとともに、ケーブルの取り付けの調整を容易に行うことができるケーブル及びケーブル固定部材を提供することができる。
【図面の簡単な説明】
【００２２】
【図１】本発明のケーブル及びケーブル固定部材を具体化した第１の実施形態について、（ａ）同ケーブル及びケーブル固定部材の斜視構造を示す斜視図、（ｂ）同ケーブル及びケーブル固定部材の断面構造を示す断面図。
【図２】同実施形態のケーブル及びケーブル固定部材について、（ａ）〜（ｄ）ケーブルとケーブル固定部材との係合状態を示す断面図。
【図３】同実施形態のケーブル及びケーブル固定部材を壁部に配線した状態を示す外観図。
【図４】同実施形態のケーブル及びケーブル固定部材について、図３の断面線Ａ−Ａの断面構造を示す断面図。
【図５】本発明のケーブル及びケーブル固定部材を具体化した第２の実施形態について、（ａ）ケーブル固定部材の断面構造を示す断面図、（ｂ）ケーブル及びケーブル固定部材を角部に配線した状態の断面構造を示す断面図。
【図６】本発明のケーブル及びケーブル固定部材のその他の実施形態について、（ａ），（ｂ）ケーブル固定部材の断面構造を示す断面図。
【図７】本発明のケーブル固定部材の他の実施形態について、同ケーブル固定部材の斜視構造を示す斜視図。
【図８】本発明のケーブル固定部材の他の実施形態について、同ケーブル固定部材の断面構造を示す断面図。
【図９】本発明のケーブルの他の実施形態について、同ケーブルの斜視構造を示す斜視図。
【図１０】従来のケーブル及びモールについて、（ａ）同ケーブル及びモールを壁部に配線した状態を示す外観図、（ｂ）（ａ）の断面線Ｂ−Ｂの断面構造を示す断面図。
【発明を実施するための形態】
【００２３】
（第１の実施形態）
図１〜図４を参照して、本発明のケーブル及びケーブル固定部材を家屋の壁部に配線したケーブル及びケーブル固定部材として具体化した第１の実施形態について説明する。以降では、壁部の表面側及び裏面側を規定する方向を「前後方向」とし、ケーブルの延設方向を「上下方向」とし、ケーブルの延設方向に対して垂直な平面にて切った断面方向を「径方向」とする。また、前後方向及び上下方向に直交する方向を「左右方向」とする。
【００２４】
図１（ａ）に示すように、ケーブル１には、円柱形状のケーブル本体部１Ａとこのケーブル本体部１Ａから前後方向の後方に突出するケーブル側取付部１Ｂとが設けられている。
【００２５】
ケーブル本体部１Ａには、４本の導線１０〜１３と、これら導線１０〜１３を径方向から外囲することにより被膜する被覆体１４とが設けられている。この被覆体１４は、ケーブル側取付部１Ｂを一体に構成する。具体的には、被覆体１４は、ケーブル側取付部１Ｂとともに樹脂材料を押し出し成形によって単一部材として成形されている。
【００２６】
図１（ｂ）に示すように、ケーブル側取付部１Ｂは、上下方向から見た平面視において略円形に形成されている。具体的には、前後方向の後方の端部を先端として前後方向の前方に向かうにつれて拡径している。そして所定位置において最大径Ｄ１を有する中点部１５が設けられている。この中点部１５から前後方向の前方に向かい縮径し、被覆体１４に接続されるようになる。
【００２７】
ケーブル固定部材２には、本体部２０とこの本体部２０から前後方向の前方に突出するとともにケーブル側取付部１Ｂを嵌合する凹形状に形成された固定部材側取付部２１とが設けられている。
【００２８】
本体部２０は、上下方向及び左右方向に沿って延びる板状として構成されている。そして本体部２０の前後方向の後方の面である後面２０ｂが壁部３１（図３参照）に当接した状態によって固定されるようになる。
【００２９】
固定部材側取付部２１は、本体部２０の前後方向の前方の面である前面２０ａの左右方向の中央位置に設けられるとともに上下方向に沿って一体に延設されている。この固定部材側取付部２１は、本体部２０との接続位置を基点として、前後方向の前方に向かうにつれて湾曲状に拡径している。そして所定位置において最大径Ｄ２を有する中点部２２が設けられている。この中点部２２から前後方向の前方に向かい湾曲状に縮径する先端部２３が設けられている。
【００３０】
ケーブル１は、ケーブル側取付部１Ｂが固定部材側取付部２１に嵌合することによりケーブル固定部材２に取り付けられるようになる。言い換えれば、ケーブル１は、いわゆるジップロック（登録商標）の方式によって、ケーブル固定部材２に固定されるようになる。
【００３１】
具体的には、図２（ａ）に示すように、ケーブル１とケーブル固定部材２とが前後方向において互いに離間した状態から、図２（ｂ）〜図２（ｄ）に示すようにケーブル固定部材２に向かいケーブル１を前後方向の後方に移動させてケーブル側取付部１Ｂを固定部材側取付部２１に取り付ける。
【００３２】
ここで、より詳細には、図２（ａ）に示すように、ケーブル側取付部１Ｂの最大径Ｄ１は、固定部材側取付部２１の先端部２３の開口部分の最短距離を結んだ径である開口径Ｄ３よりも大きくなるように形成されている。これにより、図２（ｂ）に示すように、ケーブル側取付部１Ｂを固定部材側取付部２１に取り付ける際、固定部材側取付部２１はケーブル側取付部１Ｂによって左右方方向に開くように弾性変形する。
【００３３】
そして、図２（ａ）に示すように、ケーブル側取付部１Ｂの最大径Ｄ１は固定部材側取付部２１の最大径Ｄ２と略同等であるため、固定部材側取付部２１はケーブル側取付部１Ｂの中点部１５が固定部材側取付部２１の中点部２２に移動するまで先端部２３が拡径し続ける。そして、図２（ｃ）に示すように、上記中点部１５が上記中点部２２より前後方向の後方に移動するにつれて、先端部２３はケーブル側取付部１Ｂの外形に沿って復元力の作用により縮径するようになる。最後に、図２（ｄ）に示すように、ケーブル側取付部１Ｂの前後方向の後方の端部が、固定部材側取付部２１の本体部２０との接続位置に当接することにより、ケーブル１のケーブル固定部材２への取り付けが完了する。
【００３４】
また、このようなケーブル側取付部１Ｂと固定部材側取付部２１との嵌合によりケーブル１がケーブル固定部材２に取り付けられるため、ケーブル固定部材２にケーブル１が取り付けられた状態からケーブル１を前後方向の前方に引っ張ることにより、ケーブル固定部材２からケーブル１を容易に取り外すことができる。したがって、ケーブル固定部材２にケーブル１が屈曲したり湾曲したりした状態によって配線された場合には、ケーブル１を配線した状態における美観が低下してしまう。また、ケーブル固定部材とケーブルとの固定方法として、両面テープや接着剤を用いた場合には、ケーブル固定部材とケーブルとの取り付けのやり直しが困難であり、作業性が低下してしまう問題がある。その点において、本実施形態は、ケーブル固定部材２にケーブル１を取り付けたとしても、容易にケーブル固定部材２からケーブル１を取り外すことができるため、ケーブル固定部材２へのケーブル１の取り付け作業のやり直しを容易に行うことができる。その結果、作業者がケーブル固定部材２にケーブル１を取り付ける際に、ケーブル１の状態を容易に調整することができ、ケーブル１の配線の美観の低下を抑制した状態、即ちケーブル１を真っ直ぐに配線した状態においてケーブル固定部材２に取り付けることができるようになる。
【００３５】
次に、図３及び図４を参照して、ケーブル１及びケーブル固定部材２の配線の外観について説明する。
図３に示すように、ケーブル１及びケーブル固定部材２は、部屋３０を構成する壁部３１において、ドア３２と壁部３１とを区画するように構成される枠体部３３の左右方向の右側の右隅において上下方向に沿って配線されている。
【００３６】
具体的には、枠体部３３の上下方向の下方の右隅に設けられたコンセント３４にケーブル１は接続されるとともに、コンセント３４から枠体部３３及び壁部３１によって形成される角部３５に向かい屈曲する。そして角部３５におけるケーブル１が近接した位置Ｘから上下方向の上方に沿ってケーブル１は配線されるようになる。
【００３７】
図４に示すように、角部３５を構成する壁部３１にはケーブル固定部材２が上下方向に沿った態様にて当接している。このケーブル固定部材２は両面テープにより、壁部３１に固定されている。このケーブル固定部材２は枠体部３３に左右方向に近接した態様にて設けられている。
【００３８】
また、本体部２０の左右方向の幅Ｈ１は、ケーブル１の最大径Ｄ４（ケーブル１の幅）と略同等となるように設けられている。これにより、図１０のモール１１０を用いたケーブル１００の配線と比較して、壁部３１の表側に占めるケーブル１の面積を小さくすることができるようになる。したがって、モール１１０を用いたケーブル１００の配線と比較して、ケーブル１を配線したとしても部屋全体としてケーブル１が目立たなくなる。
【００３９】
ところで、モール１１０を用いた場合では、上述のようにモール１１０の壁側部材１１１を壁部２０２に固定する工程と、壁側部材１１１内にケーブル１００を配線する工程と、カバー側部材１１２を壁側部材１１１に固定する工程との３工程が必要となる。その点において、本実施形態では、ケーブル固定部材２を壁部３１に固定する工程と、このケーブル固定部材２にケーブル１を取り付ける工程との２工程にて壁部３１へのケーブル１の配線が完了するため、モール１１０を用いた場合と比較して、１工程を省略できるようになる。したがって、壁部３１にケーブル１を配線する作業が容易に行うことができるようになる。
【００４０】
本実施形態のケーブル１及びケーブル固定部材２によれば、以下の効果を奏することができる。
（１）本実施形態によれば、ケーブル１にケーブル側取付部１Ｂが設けられ、ケーブル固定部材２に固定部材側取付部２１が設けられる構成である。そして、固定部材側取付部２１にケーブル側取付部１Ｂが取り付けられることにより、ケーブル固定部材２にケーブル１が取り付けられる。したがって、本実施形態では、図１０に示す従来のモール１１０を用いる構成と比較して、壁部３１にケーブル１を配線する作業が容易に行うことができるようになる。
【００４１】
また、ケーブル側取付部１Ｂは固定部材側取付部２１に対して着脱自在に取り付けられている。したがって、ケーブル１をケーブル固定部材２に取り付ける場合において、ケーブル１の取り付けの位置合わせの調整を容易に行うことができるようになる。したがって、モールを使用せずにケーブルを直接両面テープや接着剤によって固定する場合と比較して、作業者がケーブル１をケーブル固定部材２に固定する作業を容易に行うことができるようになる。
【００４２】
（２）本実施形態によれば、ケーブル１のケーブル側取付部１Ｂがケーブル本体部１Ａから前後方向の後方に突出するように設けられる構成である。したがって、ケーブル側取付部１Ｂがケーブル本体部１Ａから前後方向の前方に凹むように設けられる構成（比較構成）と比較して、被覆体１４及びケーブル側取付部１Ｂの成形を容易に行うことができるため、ケーブル１の製造を容易に行うことができるようになる。
【００４３】
（３）本実施形態によれば、ケーブル１のケーブル側取付部１Ｂがケーブル１の延設方向（上下方向）に沿って設けられる構成である。したがって、ケーブル側取付部１Ｂをケーブル固定部材２の固定部材側取付部２１に取り付ける際に、ケーブル１がねじれることが抑制されるようになる。
【００４４】
（４）本実施形態によれば、ケーブル固定部材２の本体部２０の幅Ｈ１の大きさは、ケーブル１の最大径Ｄ４以下である構成である。したがって、ケーブル固定部材２にケーブル１を取り付けた状態において、ケーブル１より前後方向の前方から見たとしても本体部２０がケーブル１に隠れるようになる。したがって、ケーブル固定部材２にケーブル１を取り付けた状態において、本体部２０が目立たなくなるため、美観の低下を抑制することができるようになる。
【００４５】
（５）本実施形態によれば、ケーブル１の被覆体１４が押し出し成形によって成形されている。したがって、被覆体１４をケーブル１の延設方向に沿って押し出すように成形することにより、本実施形態のようなケーブル側取付部１Ｂの形状を容易に成形することができるようになる。
【００４６】
（６）本実施形態によれば、ケーブル固定部材２の固定部材側取付部２１の先端部２３の開口径Ｄ３は、固定部材側取付部２１の最大径Ｄ２よりも小さく形成される構成である。したがって、開口径Ｄ３が固定部材側取付部２１の最大径Ｄ２と同等以上の構成と比較して、先端部２３の弾性変形に伴う復元力の作用によって固定部材側取付部２１がケーブル側取付部１Ｂを保持する力が向上するようになる。その結果、ケーブル固定部材２がケーブル１を保持する力を向上することができるようになる。
【００４７】
（第２の実施形態）
図５を参照して、本発明のケーブル及びケーブル固定部材を家屋の壁部に配線したケーブル及びケーブル固定部材として具体化した第２の実施形態について説明する。本実施形態では、第１の実施形態と比較して、ケーブル固定部材２の形状及び壁部３１へのケーブル固定部材２の固定構造が異なる。以下、第１の実施形態と異なる点を中心に説明する。なお、同一部材には同一符号を用い、その説明を省略する。また、図５（ｂ）の断面構造は、図３のＡ−Ａ断面に相当する。
【００４８】
図５（ａ）に示すように、ケーブル固定部材２の本体部２０は、三角柱形状として設けられている。具体的には、本体部２０の壁部３１に対向する第１面２０Ａと、枠体部３３に対向する第２面２０Ｂとが互いに直交するように設けられている。そして、第１面２０Ａの端部と第２面２０Ｂの端部とを結ぶことにより第１面２０Ａ及び第２面２０Ｂに対して傾斜する第３面２０Ｃに固定部材側取付部２１が設けられている。
【００４９】
これにより、図５（ｂ）に示すように、枠体部３３及び壁部３１によって形成される角部３５にケーブル固定部材２を固定する場合において、角部３５の形状に合致することができる。具体的には、壁部３１に第１面２０Ａが当接し、枠体部３３に第２面２０Ｂが当接するようになる。そしてそれぞれの当接面において両面テープによって角部３５にケーブル固定部材２が固定されるようになる。また、第３面２０Ｃの幅Ｈ２は、ケーブル１の最大径Ｄ４以下として設けられている。
【００５０】
ここで、角部３５にケーブル１をケーブル固定部材２に取り付けるときに、角部３５を構成する枠体部３３の面に沿ってケーブル１を移動させる場合には、作業者はケーブル１を持つ手の指を枠体部３３とケーブル１との間に入れることが困難である。したがって、このような場合には、作業者がケーブル１を枠体部３３とケーブル１との間に入れないようにケーブル１を持った上で、ケーブル１をケーブル固定部材２に取り付けるようになる。これに対して、本実施形態のケーブル固定部材２では、第３面２０Ｃが角部３５に対して傾斜した状態となるため、作業者は上記枠体部３３の面に沿ってケーブル１を移動させる必要はなく、図５（ｂ）の矢印Ｙに沿った方向にケーブル１を移動させればよい。したがって、作業者が枠体部３３とケーブル１との間に指を入れた状態、即ちケーブル１を確実に持った状態にてケーブル１をケーブル固定部材２に取り付けることができるようになる。
【００５１】
本実施形態のケーブル１及びケーブル固定部材２によれば、第１の実施形態の効果に加えて、以下の効果を奏することができる。
（７）本実施形態によれば、本体部２０の第１面２０Ａ及び第２面２０Ｂのそれぞれが角部３５に固定される構成である。したがって、本体部２０の二面によって角部３５に固定されるため、本体部が一面によって角部３５に固定される構成と比較して、ケーブル固定部材２の角部３５への保持力を向上させることができるようになる。
【００５２】
（８）本実施形態によれば、本体部２０の第３面２０Ｃは角部３５に対して傾斜した構成である。したがって、作業者は角部３５を構成する枠体部３３の面に沿った方向にケーブル１を移動させる必要がないため、作業者がケーブル１をケーブル固定部材２に取り付ける作業を容易に行うことができるようになる。
【００５３】
（その他の実施形態）
本実施形態のケーブル１及びケーブル固定部材２は、上記各実施形態に限定されることなく、例えば以下の変更が可能である。また、以下の変形例は、上記各実施形態についてのみ適用されるものでなく、異なる変形例同士を互いに組み合わせて実施する場合にも適用することもできる。
【００５４】
第１の実施形態では、ケーブル固定部材２の固定部材側取付部２１が本体部２０から前後方向の前方に突出するように設けられたが、固定部材側取付部２１と本体部２０との構成はこれに限定されることはない。例えば、図６（ａ）に示すように、固定部材側取付部２１は、本体部２０の前後方向の前面２０ａから前後方向の後方に凹む湾曲状の凹部として設けることもできる。この構成においてケーブル１をケーブル固定部材２に取り付ける場合には、ケーブル側取付部１Ｂが縮径するように弾性変形することにより、固定部材側取付部２１に嵌合されるようになる。また、固定部材側取付部２１の内面２１ａに弾性部材を取り付けることにより、ケーブル側取付部１Ｂを嵌合するときに弾性部材が拡径するように弾性変形して互いに嵌合する構成とすることもできる。
【００５５】
また、図６（ａ）の本体部２０は上下方向及び左右方向に板状として設けられたが、例えば図６（ｂ）に示すように本体部２０を三角柱形状として設けることもできる。この場合には、板状の本体部２０と比較して、固定部材側取付部２１のための板厚を確保しやすいため、図６（ａ）の構成と比較して、本体部２０を小型化することができるようになる。
【００５６】
上記各実施形態では、ケーブル固定部材２の固定部材側取付部２１は上下方向に沿って連続的に設けられていたが、固定部材側取付部２１の構成はこれに限定されることはない。例えば、図７に示すように、固定部材側取付部２１は、上下方向において互いに離間して複数設けられる構成とすることもできる。
【００５７】
上記各実施形態では、ケーブル固定部材２は壁部３１に両面テープによって固定されたが、ケーブル固定部材２の壁部３１への固定構造はこれに限定されることはない。例えば、図８に示すように、ビス４０を用いることにより本体部２０を壁部３１に固定する構造とすることもできる。これにより、壁部３１に設けられた壁紙の種類に関係なく安定的にケーブル固定部材２を固定することができるようになる。また、両面テープ及びビス４０に代えて、接着剤を本体部２０の後面２０ｂに塗布することにより、壁部３１に固定することもできる。
【００５８】
上記各実施形態では、ケーブル１のケーブル側取付部１Ｂが上下方向に沿って連続的に設けられていたが、ケーブル側取付部１Ｂの構成はこれに限定されることはない。例えば、図９に示すように、ケーブル側取付部１Ｂは、上下方向において互いに離間して複数設けられる構成とすることもできる。
【００５９】
上記各実施形態では、ケーブル固定部材２の本体部２０の幅Ｈ１，Ｈ２がケーブル１の最大径Ｄ４以下に設定されていたが、本体部２０の幅Ｈ１，Ｈ２の大きさはこれに限定されることはない。例えば、本体部２０がケーブル１に対して大きく目立たない限り、本体部２０の幅Ｈ１，Ｈ２がケーブル１の最大径Ｄ４よりも若干大きくなるように設けることもできる。
【００６０】
上記各実施形態では、ケーブル１のケーブル側取付部１Ｂが上下方向に沿って連続的に設けられていたが、ケーブル側取付部１Ｂの構成はこれに限定されることはない。例えば、ケーブル側取付部１Ｂが被覆体１４を径方向から取り囲む方向である周方向に傾斜しつつ上下方向に設けることもできる。これにより、上記実施形態の効果（１）及び（２）に準じた効果を奏することができる。
【００６１】
上記各実施形態では、ケーブル１のケーブル側取付部１Ｂが被覆体１４から前後方向の後方に向かい突出し、ケーブル固定部材２の固定部材側取付部２１が本体部２０から前後方向の後方に凹む形状として構成されたが、ケーブル側取付部１Ｂ及び固定部材側取付部２１の形状はこれに限定されることはない。例えば、ケーブル側取付部１Ｂが被覆体１４から前後方向の前方に凹み、固定部材側取付部２１が本体部２０から前後方向の前方に突出する形状とすることもできる。これにより、上記実施形態の効果（１）に準じた効果を奏することができる。
【００６２】
上記各実施形態では、ケーブル１のケーブル側取付部１Ｂが断面丸形状であったが、ケーブル側取付部１Ｂの形状はこれに限定されることはない。ケーブル側取付部１Ｂがケーブル固定部材２の固定部材側取付部２１と嵌合可能な形状であればよい。
【００６３】
上記各実施形態では、ケーブル１のケーブル本体部１Ａは円柱形状であったが、ケーブル本体部１Ａの形状はこれに限定されることはない。例えば、ケーブル本体部１Ａが断面長方形の四角柱形状である、いわゆるフラットケーブルとすることもできる。この場合においては、ケーブル１の最大径Ｄ４（ケーブル１の幅）は、ケーブル本体部１Ａの断面における長手方向の幅となる。また、ケーブル本体部１Ａが断面正方形の四角柱形状とすることもできる。この場合においては、ケーブル１の最大径Ｄ４（ケーブル１の幅）は、ケーブル本体部１Ａの四角柱の一辺の幅となる。
【００６４】
第２の実施形態では、本体部２０の第１面２０Ａ及び第２面２０Ｂの両方が角部３５に固定される構成であったが、本体部２０と角部３５との固定構造はこれに限定されることはない。本体部２０の第１面２０Ａ及び第２面２０Ｂの一方が角部３５に固定される構成とすることもできる。即ち本発明は、本体部２０の第１面２０Ａ及び第２面２０Ｂの少なくとも一方が角部３５に固定される構成とすることができる。この構成により、第２の実施形態の効果（８）に準じた効果を得ることができるようになる。
【００６５】
第２の実施形態では、ケーブル固定部材２が角部３５に固定される構成であったが、ケーブル固定部材２の固定位置はこれに限定されることはない。例えば、ケーブル固定部材２は角部３５以外の壁部３１に固定することもできる。この構成により、第２の実施形態の効果（８）に準じた効果を得ることができるようになる。
【００６６】
ケーブル１の種類としては、情報を伝送するＬＡＮケーブル、光ファイバケーブル、及び電力を伝送する電力線が挙げられる。
【符号の説明】
【００６７】
１…ケーブル、１Ａ…ケーブル本体部、１Ｂ…ケーブル側取付部（第２取付部、突起部）、２…ケーブル固定部材、１０〜１３…導線、１４…被覆体、２０…本体部、２０Ａ…第１面、２０Ｂ…第２面、２０Ｃ…第３面（一面）、２０ａ…前面（一方の面）、２０ｂ…後面（他方の面）、２１…固定部材側取付部（第１取付部、凹部）、２１ａ…内面、３０…部屋、３１…壁部、３２…ドア、３３…枠体部、３４…コンセント、３５…角部、４０…ビス。
【図１】
2011045205.tif 000003
【図２】
2011045205.tif 000004
【図３】
2011045205.tif 000005
【図４】
2011045205.tif 000006
【図５】
2011045205.tif 000007
【図６】
2011045205.tif 000008
【図７】
2011045205.tif 000009
【図８】
2011045205.tif 000010
【図９】
2011045205.tif 000011
【図１０】
2011045205.tif 000012